(57)【特許請求の範囲】
【請求項１】
定着装置などの発熱源の近傍に位置する設置個所において挿脱可能な状態に設けられ、トランスやフィルタおよび電装基板類を装備した電源部とこの電源部から給電される制御部とを備えた電装ユニットにおいて、
上記電装ユニットは、上記電源部と制御部とが異なる位置で上記設置個所に対して挿脱可能に設けられ、
上記電源部は上記定着装置の下方に位置する設置個所の外装パネルの一部を構成する表面パネルを備えた板金部材を用いて構成され、上記制御部は上記電源部の側部近傍に隣接させて設けた挿入スペースに挿脱可能に配置され、該電源部に対して垂直となる姿勢により配置されていることを特徴とする電装ユニット。
【請求項２】
請求項１記載の電装ユニットにおいて、
上記電源部は、上記設置部に一体化されることで上記ガイド部間に横架された状態で配置されることを特徴とする電装ユニット。
【請求項３】
請求項１または２に記載の電装ユニットにおいて、
上記設置部に対する上記電源部の取り付け位置には上記制御部の取り付け部が一部を兼用して設けられ、該取り付け部は導電部材で構成されていることを特徴とする電装ユニット。
【請求項４】
請求項１乃至３のうちの一つに記載の電装ユニットを用いることを特徴とする画像形成装置。
【請求項５】
請求項４記載の画像形成装置において、
電装ユニットにおける制御部は、装置本体の後方にて挿脱可能に設けられ、電源部は定着装置の下方に配置されていることを特徴とする画像形成装置。
【請求項６】
請求項４又は５記載の画像形成装置において、
上記他のユニットは、シート材を反転して再搬送可能な両面搬送ユニットが用いられ、該両面搬送ユニットにおけるガイド部が金属製とされ、該ガイド部を介して挿脱可能な電装ユニットにおける電源部が該ガイド部を接地部の一部とすることを特徴とする画像形成装置。
【請求項７】
請求項６記載の画像形成装置において、
上記両面搬送ユニットは金属製部材が用いられて構成され、画像形成装置本体との間で導電路を構成可能であることを特徴とする画像形成装置。
【発明の詳細な説明】
【０００１】
【発明の属する技術分野】
本発明は、電装ユニットおよび画像形成装置に関し、さらに詳しくは、電源部の構造に関する。
【０００２】
【従来の技術】
複写機やプリンタあるいはファクシミリ装置などの画像形成装置には、画像形成処理に用いられる装置の駆動部およびこの駆動部に対する動作制御部として種々のＩＣなどの電装部品を有する回路が形成された電装基板、いわゆる、プリント基板が用いられ、このプリント基板の出力端子からハーネスを介して必要な箇所に信号が送信されるようになっている。
一方、画像形成装置には、上記制御部をはじめとして種々の電装部品に対する給電部として電源部が備えられており、各給電箇所との間がハーネスによって接続されている。
【０００３】
従来、画像形成装置での電装基板を備えた制御部や電源部は、画像形成装置本体の筐体内に配置されて画像形成処理を担う各装置類とは別の位置で画像形成の際にユーザが操作する部分とは関係のない側面あるいは後面を対象として筐体内に設けられた空間部内に配置され、その空間部が筐体の側壁、所謂、外装カバーにより覆われることで外部と遮蔽されるようになっている。このため、制御部や電源部の保守時には、筐体の外装カバーを取り外して空間部内を露呈させたうえでハーネス（配線）接続を解除し、保守対象となる電装基板あるいは電源部を外部に取り出す作業が行われていた。
【０００４】
制御部や電源部は、上述した空間部内に配置されると、画像形成装置全体としての容積が空間部を特別に設ける分だけ大型となる。そこで、制御部や電源部も画像形成装置本体内における画像形成処理部が占める空間内に組み込み、所謂、これら制御部および電源部のための特別な空間を設けないようにすることが検討されている。
【０００５】
制御部や電源部を装置本体の筐体内に組み込む構成として、制御部および電源部を纏めた配置した電装ユニットを構成し、この電装ユニットを画像形成装置本体に対して着脱可能に設ける構成が提案されている（例えば、特開平９−２９２８１５号公報）。
【０００６】
【発明が解決しようとする課題】
電装ユニットを用いて電源部や制御部を纏めて配置した場合には、電源部での発熱により制御部に用いられる電装部品に悪影響を及ぼすことがある。しかも制御部では電磁波によるノイズ対策としてシールドを施す必要があり、電源部と一緒に配置したのでは放熱性とシールド性とを同時に満足させることが困難となる場合がある。また、制御部には画像形成装置内に配置されている各種モータやソレノイドなどの電装機器との接続のためにハーネスが用いられるが、制御部を電源部と纏めてしまうと電装機器との間の距離が大きくなってしまうことがあり、これに比例してハーネスも長くなり、その取り扱いが面倒となる。
【０００７】
本発明の目的は、従来の画像形成装置における電装ユニットでの問題に鑑み、電源部での発熱による制御部への悪影響を抑制できると共にシールド効果やハーネス類の取り扱いを向上させることが可能な構成を備えた電装ユニットおよび画像形成装置を提供することにある。
【０００８】
【課題を解決するための手段】
請求項１記載の発明は、定着装置などの発熱源の近傍に位置する設置個所において挿脱可能な状態に設けられ、トランスやフィルタおよび電装基板類を装備した電源部とこの電源部から給電される制御部とを備えた電装ユニットにおいて、上記電装ユニットは、上記電源部と制御部とが異なる位置で上記設置個所に対して挿脱可能に設けられ、上記電源部は上記定着装置の下方に位置する設置個所の外装パネルの一部を構成する表面パネルを備えた板金部材を用いて構成され、上記制御部は上記電源部の側部近傍に隣接させて設けた挿入スペースに挿脱可能に配置され、該電源部に対して垂直となる姿勢により配置されていることを特徴としている。
【０００９】
請求項２記載の発明は、上記電源部が、上記設置部に一体化されることで上記ガイド部間に横架された状態で配置されることを特徴としている。
【００１１】
請求項３記載の発明は、上記設置部に対する上記電源部の取り付け位置には上記制御部の取り付け部が一部を兼用して設けられ、該取り付け部は導電部材で構成されていることを特徴としている。
【００１２】
請求項４記載の発明は、請求項１乃至３のうちの一つに記載の電装ユニットを用いることを特徴としている。
【００１３】
請求項５記載の発明は、電装ユニットにおける制御部が、装置本体の後方にて挿脱可能に設けられていることを特徴とする画像形成装置。
【００１４】
請求項６記載の発明は、上記他のユニットとして、シート材を反転して再搬送可能な両面搬送ユニットが用いられ、該両面搬送ユニットにおけるガイド部が金属製とされ、該ガイド部を介して挿脱可能な電装ユニットにおける電源部が該ガイド部を接地部の一部とすることを特徴としている。
【００１５】
請求項７記載の発明は、上記両面搬送ユニットが金属製部材を用いて構成され、画像形成装置本体との間で導電路を構成可能であることを特徴としている。
【００１６】
【発明の実施の形態】
以下、図面に基づき本発明の実施の形態を説明する。
図１は、本発明の実施形態に係る実施例である画像形成装置の全体構成を説明するための模式図である。
図１に示す画像形成装置１は、内部に潜像担持体である感光体およびこれに対する画像形成装置を実行可能な装置の一つである複写機を例示しているが、本発明では複写機に限らず、プリンタやファクシミリ装置を含むこと勿論可能である。
【００１７】
図１において画像形成装置１は、画像形成部１Ａと両面搬送ユニット１Ｂとを組み合わせることが可能な構成とされており、画像形成部１Ａには、ドラム状の感光体２が回転可能に配置されている。
感光体２の周囲には、回転過程において画像形成処理を実行するための帯電装置３，書き込み装置４，現像装置５，転写装置６およびクリーニング装置７がそれぞれ配置されている。
転写装置６を除く他の装置はハウジング構造とされたプロセスカートリッジＰＣ内に装備されており、画像形成装置１の本体外郭をなす筐体１００内に対して着脱可能に設けられている。
【００１８】
転写装置６の近傍には、給紙装置８に装備されている給紙カセット８Ａから繰り出される記録シートの給紙路９が設けられており、さらに転写装置６を通過した記録シートが通過する位置には定着装置１０および定着装置１０を通過した記録シートを排出する排紙装置１１が設けられている。
排紙装置１１を通過した記録シートは、筐体１００の上面に形成されている排紙トレイ１００Ａ上に排出される。
【００１９】
給紙装置８には、給紙カセット８Ａの他に手差しトレイ８Ｂが備えられており、給紙カセット８Ａおよび手差しトレイ８Ｂから繰り出された記録シートが転写装置６の手前に配置されているレジストローラ８Ｃによって転写タイミングを設定されて転写位置に向け繰り出されるようになっている。
【００２０】
図１に示す画像形成装置１では、記録シートの両面を対象とした画像形成を行える構成が備えられている。
記録シートの両面に画像形成を行うための構成として、画像形成装置１の筐体１００に対して着脱可能な両面搬送ユニット１Ｂが用いられる。
図１において両面搬送ユニット１Ｂは、定着装置６から排出された記録シートを反転させるスイッチバック搬送路１Ｂ１と、スイッチバック搬送路１Ｂ１に連続してレジストローラ８Ｃに向けて記録シートを給送する再循環搬送路１Ｂ２とを備えており、両面への画像形成時には定着装置１０から排出された記録シートをスイッチバック搬送路１Ｂ１に持ち来したうえで再循環搬送路１Ｂ２を介して記録シートを反転させてレジストローラ８Ｃに向け給送することができる。
【００２１】
両面搬送ユニット１Ｂは、画像形成装置１を後方左側から見た図である図２に示すように、画像形成装置１の筐体１００を構成する筐体フレーム１０１に対して自らの側部に設けられている金属製のガイドフレーム１Ｂ１を介して着脱できるようになっている。筐体フレーム１０１については後で図４を用いて説明する。
【００２２】
図１において感光体１と転写装置６とで構成される転写位置から定着装置１０の排出口までの搬送路は傾斜させてあり、その傾斜角度により拡大された搬送路の下方空間には電装ユニット１２が配置されている。
電装ユニット１２には、変圧部等を備えた電源基板１３Ａおよび電源コントロール部をなす高圧基板１３Ｂとを備えた電源部１３と、画像形成装置１を後方右側から示した図である図３に示すように、電源部１３とは独立して設けられている制御部１４とを備えており、これら電源部１３および制御部１４は、筐体１００に対して挿脱可能に設けられている。
【００２３】
画像形成装置１の筐体１００は、図４に示す構成の筐体フレーム１０１を備えている。図４は、画像形成装置１を前方右側から見た場合の外装パネルを取り除いて筐体フレーム１０１のみを示した図であり、同図において筐体フレーム１０１は、筐体１００の側壁とこれら側壁同士を連結する横枠部とがポリフェニリンエーテル（ＰＰＥ）等の樹脂により一体成形された部材であり、横枠部のうちで筐体フレーム１０１の前方下部に位置する横枠部１０１Ａは、両面搬送ユニット１Ｂ（図２参照）を挿入できる隙間Ｓを持たせた位置に形成されている。
【００２４】
図４では、筐体フレーム１０１における前面側の横枠１０１Ａが両面搬送ユニット１Ｂの着脱時に邪魔しないに位置に設けられている状態が示されているが、後面側での横枠、特に符号１０１Ａで示したものと同様に下方側に位置する横枠は、図示しないが、電装ユニット１２における電源部１３の表面パネル１３Ｃ（図２参照）に設けられている取り付け穴に対応する高さに位置決めがされている。
【００２５】
筐体フレーム１０１における前後面では上下に位置する横枠間が開口し、後面では開口部に対して電装ユニット１２における電源部１３および制御部１４が装着できるようになっている。なお、図４においては、筐体フレーム１０１の上部に書き込み装置４が組み込まれている状態が示されている。
【００２６】
電装ユニット１２は、電源部１３および制御部１４がそれぞれ独立して構成されており、画像形成装置１を後方右側から見た図である図３および同じく画像形成装置１を後方左側から見た図である図５に示すように、筐体フレーム１０１に突き当てられることで筐体１００の外装パネルの一部を構成する表面パネル１３Ｃ、１４Ａとこの表面パネル１３Ｃおよび１４Ａの下部にそれぞれ一体化されている板金製のシャーシ１３Ｄ（図５参照）および１４Ｂ（図３参照）を備えている。
【００２７】
電源部１３は図３および図５に示すように、シャーシ１３Ｃが水平方向に取り付けられる横置き状態で筐体フレーム１０１に挿脱できる姿勢とされ、これに対して制御部１４は電源部１３の設置姿勢と異なる姿勢、本実施例では、電源部１３の側部近傍に隣接させてシャーシ１４Ｂが垂直方向に向く縦置きにされて配置されている。
【００２８】
筐体フレーム１０１における側壁内面には、図５および画像形成装置１を後方下側から見た図である図６に示すように、対向する位置に電源部１３を挿脱する際のガイド部をなすガイドレール１０２が設けられている。
ガイドレール１０２は、電装ユニット１２とは別のユニットに相当している両面搬送ユニット１Ｂ（図２参照）に設けられてガイド部材をなすガイドフレーム１Ｂ１と嵌合できる位置に配置された金属製のチャンネル部材で構成されている。
ガイドフレーム１０２の上面には、電装ユニット１２における電源部１３のシャーシ１３Ｄが搭載可能であり、搭載された電源部１３がガイドフレーム１０２上を摺動できるようにされている。
【００２９】
ガイドフレーム１０２における筐体フレーム１０１の後面側には、図３に示すように、ガイドフレーム１０２に隣接して制御部１４の挿入スペースを確保できる位置に制御部１４の取付部として導電性を有する金属製の取付ブラケット１０３が固定されており、取付ブラケット１０３における筐体フレーム１０１の後面側には内側に向けて折り曲げられた取り付け片１０３Ａが形成されている。
【００３０】
取り付け片１０３Ａは、電源部１３の表面パネル１３Ｃにおける側縁裏側に対向できる位置に設けられており、表面パネル１３Ｃの側縁近傍に形成されている貫通穴１３Ｃ１に対向する位置にネジ穴１０３Ａ１が設けられ、締結によって電源部１３を筐体フレーム１０１側に一体化することができる。
【００３１】
制御部１４の表面パネル１４Ａにおいて上下各縁部近傍にも貫通穴１４Ａ１が形成されており、この貫通穴１４Ａ１に対向する取り付けブラケット１０３の上下各縁にはネジ穴１０３Ａ２が形成されて制御部１４の取付を可能にしている。
取り付けブラケット１０３は、電源部１３との仕切部となる部材であり、その一部に設けられている取り付け片１０３Ａを介して電源部１３の取り付け位置が兼用されており、金属製であることにより電源部１３および制御部１４の共通導電路を構成している。
【００３２】
電源部１３および制御部１４の共通導電路は、取り付けブラケット１０３によって構成される一方、取り付けブラケット１０３にガイドフレーム１０２が固定されていることにより、ガイドフレーム１０２および取り付けブラケット１０３がそれぞれ共通導電路として構成されている。
【００３３】
制御部１４は、電源部１３と異なる位置でその設置姿勢も異ならせることができるので、本実施例では、画像形成装置１の駆動を司る駆動モータや給紙クラッチおよびこれらの駆動ユニットが配置されている位置に対応する側部に取り付けられるようになっている。図８は画像形成装置１を前方右側から見た図であり、同図において符号１５は駆動モータ、同１６は給紙クラッチ、同１７は駆動ユニットをそれぞれ示しており、制御部１４は、これら各部材が配置されている側において取付部ラケット１０３に上下縁を図２あるいは図５に示すように取り付けられる。
筐体フレーム１０１の内部において電源部１３の挿入側先端部上方位置には、図７に示すように、記録シートの給送路９（図１参照）を構成するガイド部材（便宜上、図７において符号Ｐで示す）の下面に設けられたガイド部材１８が設けられており、挿入された電源部１３の挿入側先端上面を押さえて定置させるようになっている。筐体フレーム１０１内において定置された電源部１３の上方には、図２に示すように、両面搬送ユニット１から繰り出される記録シートの案内板１９が配置され、この案内板１９によって電源部１３の上方全域が略覆われるようになっている。
【００３４】
筐体フレーム１０１の外表面は外装カバー（便宜上、筐体１００の前後面のうちで前面のカバー（図８参照）を１０４で示し、側面のカバー（図２，３参照）は符号１０４’で示す）によって覆われるが、筐体１００の後面では、図６に示すように、外装カバー１０４Ａの外表面に連続した状態で、換言すれば、外装カバー１０４Ａと面一の表面を呈するようにして電源部１３の表面パネル１３Ｃが外装カバーの一部を構成している。
筐体１２００の後面に位置する外装カバー１０４Ａには、両面搬送ユニット１Ｂから繰り出される記録シートを受け入れるための開口１０４Ａ１が形成されている。外装カバーのうちで、筐体１００の前後に位置する外装カバー１０４，１０４Ａは、図示しないヒンジ機構によって開閉することができ、記録シートが詰まったような場合あるいは保守点検時に開放されるようになっている。
【００３５】
本実施例は以上のような構成であるから、筐体フレーム１０１に対して画像形成部１Ａの構成部材がそれぞれ組み付けられると、電装ユニット１２における電源部１３および制御部１４を装着することができる。
電装ユニット１２は、電源部１３および制御部１４をそれぞれ筐体フレーム１０１における所定位置に挿入することで表面パネル１３Ｃ、１４Ａを所定位置につき当てることで図６に示したように、表面パネル１３Ｃおよび１４Ａが筐体１００の外装パネルの一部として構成された状態で筐体フレーム１０１と一体化が行える態勢となる。
【００３６】
電源部１３が挿入される際には、電源部１３のシャーシ１３Ｄが筐体フレーム１０１側のガイドフレーム１０２の上面に搭載された状態で摺動させることにより挿入できる。電源部１３は、シャーシ１３が搭載されるガイドフレーム１０２およびこのガイドフレーム１０２に嵌合する両面搬送ユニット１Ｂのガイドフレーム１Ｂ１がそれぞれ金属製であり、さらに両面搬送ユニット１Ｂが金属製部材で構成されていることにより電源部１３から両面搬送ユニット１Ｂに至る導電路が構成され、この導電路を接地回路の一部とすることができる。
【００３７】
電源部１３は、制御部１４とは独立して挿脱できる構成とされ、さらには制御部１４の設置姿勢と異なる横置きとされているので、筐体フレーム１０１に横架された状態で取り付けられることにより筐体フレーム１０１の横方向での剛性を高める補強材として機能する。
【００３８】
電源部１３は制御部１４と設置姿勢が異なり、特に制御部１４の設置姿勢に対して直角な姿勢を設定されているので、電源部１３で発生した熱により雰囲気温度が上昇して周辺の空気が上昇した場合でも制御部１４に対して温度上昇した空気の気流前方に制御部１４がないので制御部全域に高温空気を直接接触しないようにできるので制御部１４での熱的な悪影響を抑止することができる。さらに、電源部１３の上方は、案内板１９によって覆われているので、案内板１９上を移動する記録シートに対する熱的な悪影響も抑止することができる。案内板１９は、図示しないが締結構造とすることで妄りにユーザ自身が電源部１３にさわるようなことがないようにもできる。
【００３９】
電装ユニット１２における制御部１４は、自身が格納可能な取り付けブラケット１０３内に挿入されると周囲を金属製の取り付けブラケット１０３によって覆われた状態となるので、設置姿勢により電源部１３からの熱的な影響を受けないばかりでなく、シールド構造とされる。
【００４０】
取付ブラケット１０３は、その一部に有する取り付け片１０３Ａが電源部１３の取付部として兼用され、さらにその取り付け片１０３Ａが金属製であることから接地回路の一部を構成しているので、取り付けブラケット１０３に一体のガイドフレーム１０２を介してこのガイドフレーム１０２により摺動案内される両面搬送ユニット１Ｂに至る導電路が形成される。
ガイドフレーム１０２が筐体１００での金属部に接続される構成とすることで制御部１４での接地が可能となり、制御部１４に作用するノイズによる誤動作を防止することができる。
【００４１】
制御部１４は、電源部１３と異なる位置で制御を必要とする部材の近くに配置できるので、制御対象部材との間の配線長さを短くすることができ、配線の取り扱い性を向上させることができる。なお、電源部１３と制御部１４との接続は、両者に設けられているコネクタ間（図３では、制御部１４に設けられているコネクタが符号Ｃ２Ｄで示されている）を接続すればよい。また、この接続に際しては、筐体フレーム１０１の外部からの操作が行いやすくなるように、筐体フレーム１０１の側壁に舗ける該当位置に窓部１０４Ｐ（図４，図７参照）が設けられ、窓部１０４から指を差し込んで接続作業を行う。
【００４２】
電源部１３の保守を行う際には、表面パネル１３Ｃおよびシャーシ１０３Ｄの締結状態を解消すればよい。つまり、表面パネル１３Ｃと筐体フレーム１０１および取り付けブラケット１０３における取り付け片１０３Ａとの締結を解消し、加えてシャーシ１０３Ｄの側面と筐体フレーム１０１の側壁との締結を解除することで筐体フレーム１０１から引き出すことができる。
【００４３】
制御部１４も同様に締結を解除することで引き出すことができ、例えば、図３において符号Ｃ１で示すコネクタが予め準備されているような場合には、そのコネクタＣ１を利用して機能拡張のためあるいはメモリ増設のための部材（便宜上、図３では、増設メモリを対象として符号Ｍで示す）を取り付ける作業を行うことができる。
【００４４】
本実施例によれば、両面搬送ユニット１Ｂを筐体フレーム１０１内に装着するだけで導電路を構成することができるので、配線類を用いた接地回路を構成する必要がなく、作業工数を低減することが可能となる。
【００４５】
【発明の効果】
請求項１乃至３記載の発明によれば、電装ユニットにおける電源部と制御部とが共に表面パネルを設置箇所の外装パネルの一部となる構成とされ、さらに、上記両部画の設置姿勢が異なる姿勢により配置されるようになっているので、接地箇所の大きさを不必要に大きくすることがなく、しかも電源部から発生した熱により温度上昇した周辺空気が直接制御部に当たるのを避けるようにして悪影響を及ぼさないようにできる。これにより、電装ユニットの小型化と制御部での誤動作の発生を防止することが可能となる。
【００４７】
請求項４記載の発明によれば、電源部の取り付け部が制御部の取り付け部と兼用され、しかも取り付け部が導電部材で構成されているので、設置個所に装着される一方の取り付け部を両者の導電路として用いることができる。これにより制御部でのシールド作用を向上させる接地回路を少ない部材で構成させることが可能となる。
【００４８】
請求項５記載の発明によれば、制御部が装置本体の後方にて挿脱可能に設けられているので、電源部の存在に関係なく装置本体後方において引き出して新たな機能増設などを必要に応じて行うことが可能となる。
【００４９】
請求項６および７記載の発明によれば、電装ユニット以外の他のユニットである両面搬送ユニットの挿脱に用いられるガイド部を介して金属製の両面搬送ユニットと電源部との間に接地回路を構成できるので、電源部と取り付け部を介して導通関係にある制御部の接地が可能となり制御部のシールドを特別な配線類を用いることなく既存の構成によって達成することができる。
【図面の簡単な説明】
【図１】本発明実施例による画像形成装置の全体構成を説明するための模式図である。
【図２】図１に示した画像形成装置を前方右側から見た外観図である。
【図３】図１に示した画像形成装置を後方左側から見た外観図である。
【図４】図１に示した画像形成装置の筐体に用いられる筐体フレームの構成を示す外観図である。
【図５】図１に示した画像形成装置にの筐体構造を画像形成装置の後方左側から見た状態で示す外観図である。
【図６】図５に示した画像形成装置における電源部の表面パネルと外装カバーとの取り付け状態を示す外観図である。
【図７】図５に示した状態での画像形成装置を後方下側から見た外観図である。
【図８】図１に示した画像形成装置における一部の外装パネルを取り外した状態で画像形成装置を前方右側から見た外観図である。
【符号の説明】
１              画像形成装置
１２            電装ユニット
１３            電源部
１３Ｃ          表面パネル
１３Ｄ          シャーシ
１４            制御部
１４A           表面パネル
１００          画像形成装置の筐体
１０１          筐体フレーム
１０２          ガイドフレーム
１０３          取り付けブラケット
１０３Ａ        取り付け片
【図１】
0004107545.tif 000002
【図２】
0004107545.tif 000003
【図３】
0004107545.tif 000004
【図４】
0004107545.tif 000005
【図５】
0004107545.tif 000006
【図６】
0004107545.tif 000007
【図７】
0004107545.tif 000008
【図８】
0004107545.tif 000009